(57)【特許請求の範囲】
【請求項１】
第１水晶振動子と第１ダイオードと分割コンデンサとからなる第１共振回路と、第２水晶振動子と第２ダイオードと前記分割コンデンサとからなる第２共振回路と、前記分割コンデンサと前記第１及び第２ダイオードの接続点にベースを接続した発振用トランジスタと、前記第１及び第２ダイオードと電源間に接続して電子スイッチによって切り替えられるベースバイアス電圧用の第１分割抵抗及び第３分割抵抗と、前記第１及び第２ダイオードと前記分割コンデンサの接続点とアース電位との間に接続したベースバイアス電圧用の第２分割抵抗とからなり、前記第１分割抵抗と第３分割抵抗との抵抗値とを前記第１水晶振動子及び前記第２水晶振動子のクリスタルインピーダンスの値に応じて異ならせ、前記第１分割抵抗と第２分割抵抗とによる前記ベースバイアス電圧及び前記第３分割抵抗と前記第２分割抵抗とによる前記ベースバイアス電圧を異ならせたことを特徴とする周波数切替発振器。
【発明の詳細な説明】
【０００１】
【発明の属する技術分野】
本発明は、周波数切替水晶発振器（周波数切替発振器）を産業上の技術分野とし、特に出力レベルの変動を防止した高周波数用の周波数切替発振器に関する。
【０００２】
【従来の技術】
（発明の背景）周波数切替発振器は、必要に応じて発振周波数を選択できることから有用となる。例えば光通信用の発振源となる高周波数帯（例えば１50ＭHz及び600ＭHz帯）の電圧制御型とした水晶発振器での適用が検討されている。
【０００３】
（従来技術の一例）第３図はこの種の一従来例を説明する周波数切替発振器の回路図である。
周波数切替発振器はインダクタ成分として動作する複数例えば２個の水晶振動子１（ａｂ）と、これと共振回路を形成する分割コンデンサ２（ａｂ）と、共振回路の共振周波数を帰還増幅する発振用トランジスタ３とからなる。発振用トランジスタは例えば負荷抵抗４を経てエミッタ側を接地する。なお、発振周波数は共振回路の共振周波数に概ね依存するが、厳格には水晶振動子１（ａｂ）から見た回路側の直列等価容量によって決定される。
【０００４】
通常では、水晶振動子１（ａｂ）と分割コンデンサ２（ａｂ）の接続点に発振用トランジスタ３のベースを、分割コンデンサ２（ａｂ）の中点にエミッタを、電源Ｖccにコレクタを接続し、例えばエミッタから出力Ｖoを得る。トランジスタ３のベースには分割バイアス抵抗５（ａｂ）によってバイアス電圧が供給される。そして、電子スイッチ７によって水晶振動子１（ａｂ）を切り替え、発振周波数を選択する。電子スイッチ７は半導体からなるスイッチング素子からなり、例えば外部からの１、０信号によってＯＮ、ＯＦが選択される。
【０００５】
ここでは、第４図に示したように共振回路の水晶振動子１（ａｂ）とアース間に電圧可変容量素子６を挿入し、制御電圧Ｖcによって発振周波数を可変する電圧制御型とする。なお、図中の符号８は電源Ｖccとアース間のバイパスコンデンサ、同９は高周波阻止抵抗、同１０は結合コンデンサである。
【０００６】
【発明が解決しようとする課題】
（従来技術の問題点）しかしながら、上記構成の周波数切替発振器では、水晶振動子１（ａｂ）を電子スイッチ７によって切り替える。そして、電子スイッチ７は基本的に温度によって抵抗値が変化する温度抵抗特性を有する。このため、温度変化に伴い、共振回路及び帰還増幅器（発振用トランジスタ３）を含めた発振閉ループ内での高周波電流が変化し、温度に対して発振周波数の出力レベルが変動する問題があった。
【０００７】
さらに、水晶振動子1（ａｂ）は、クリスタルインピーダンス（CI）が個々に異なる。そして、各水晶振動子１（ａｂ）と形成する共振回路に対してバイアス電圧は共通とする。したがって、水晶振動子毎の出力レベルも変動する問題があった。
【０００８】
（発明の目的）本発明は発振周波数のレベル変動を防止した周波数切替発振器を提供することを目的とする。
【０００９】
【課題を解決するための手段】
本発明は、第１水晶振動子と第１ダイオードと分割コンデンサとからなる第１共振回路と、第２水晶振動子と第２ダイオードと前記分割コンデンサとからなる第２共振回路と、前記分割コンデンサと前記第１及び第２ダイオードの接続点にベースを接続した発振用トランジスタと、前記第１及び第２ダイオードと電源間に接続して電子スイッチによって切り替えられるベースバイアス電圧用の第１分割抵抗及び第３分割抵抗と、前記第１及び第２ダイオードと前記分割コンデンサの接続点とアース電位との間に接続したベースバイアス電圧用の第２分割抵抗とからなり、前記第１分割抵抗と第３分割抵抗との抵抗値とを前記第１水晶振動子及び前記第２水晶振動子のクリスタルインピーダンスの値に応じて異ならせ、前記第１分割抵抗と第２分割抵抗とによる前記ベースバイアス電圧及び前記第３分割抵抗と前記第２分割抵抗とによる前記ベースバイアス電圧を異ならせた構成とする。
【００１０】
【作用】
本発明では、ベースバイアス電圧を設定するバイアス抵抗を電子スイッチによって切り替えるので、第１及び第２共振回路及び発振用トランジスタからなる発振閉ループ内には電子スイッチは存在しない。したがって、電子スイッチの温度特性による影響を軽減する。また、バイアス回路を第１及び第２共振回路ごとに切り替えるので、第１及び第２水晶振動子のＣＩに応じた値に設定できる。以下、本発明の一実施例を説明する。
【００１１】
【実施例】
第１図は本発明の一実施例を説明する周波数切替発振器の回路図である。なお、前従来例と同一部分の説明は簡略又は省略する。
周波数切替発振器は、第1及び第２共振回路と、発振用トランジスタ３と、第１及び第２バイアス回路からなる。第１共振回路は第1水晶振動子１ａ、第１ダイオード11ａ及び分割コンデンサ２（ａｂ）からなる。第２共振回路は第２水晶振動子１ｂ、第２ダイオード11ｂ及び分割コンデンサ２（ａｂ）からなる。
【００１２】
発振用トランジスタ３は、前述したように負荷抵抗４を経てエミッタを接地し、コレクタを電源側にする。そして、第１及び第２共振回路の共用する分割コンデンサ２（ａｂ）と第１及び第２ダイオードとの接続点にベースを接続する。そして、第１及び第２バイアス回路によって電源Ｖccからのバイアス電圧を供給される。
【００１３】
第１バイアス回路は、第１共振回路の第１水晶振動子１ａと第１ダイオード１１ａの接続点と電源Ｖccとの間に設けられた電源側の第１分割抵抗１２ａと、第１ダイオード１１ａと分割コンデンサ２（ａｂ）の接続点とアース間とに設けられたアース側の第２分割抵抗５ｂとからなる。
【００１４】
第２バイアス回路は第２共振回路の第２水晶振動子１ｂと第２ダイオード１１ｂの接続点と電源Ｖccとの間に設けられた電源側の第３分割抵抗１２ｂと、第１ダイオード１１ａと分割コンデンサ２（ａｂ）の接続点とアース間とに設けられた前述したアース側の第２分割抵抗５ｂとからなる。そして、第１及び第３分割抵抗１２（ａｂ）は電子スイッチ７によって任意に切り替えられて電源Ｖccに接続される。
【００１５】
このようなものでは、必要とする発振周波数に応じて、電子スイッチ７によって第１又は第２バイアス回路例えば分割抵抗１２ａを電源Ｖccに接続して第１バイアス回路を選択する。そして、第１バイアス回路に接続した第１水晶振動子１ａ、第１ダイオード１１ａ及び分割コンデンサ２（ａｂ）からなる第１共振回路を動作させて発振させる。この場合、第２ダイオード１１ｂによって第２共振回路（第２水晶振動子１ｂ）への電流は阻止されて、第１共振回路のみが動作する。
【００１６】
あるいは、分割抵抗１２ｂを電源Ｖccに接続して第２バイアス回路を選択し第２水晶振動子１ｂ、第２ダイオード１１ｂ及び分割コンデンサ２（ａｂ）からなる第２共振回路を動作させて発振させる。この場合、第１ダイオード１１ａによって第１共振回路（第１水晶振動子１ａ）への電流は阻止されて、第２共振回路のみが動作する。
【００１７】
このような構成であれば、例えば電子スイッチ７によって第１バイアス回路を選択すると、第１水晶振動子１ａ、第１ダイオード１１ａ及び分割コンデンサ２（ａｂ）からなる第１共振回路と発振用トランジスタ３が高周波的な発振閉ループを形成する。そして、高周波的な発振閉ループ内には電子スイッチ７は存在しない。したがって、電子スイッチ７の温度特性によって抵抗値が変化しても、高周波電流に対する影響は極めて小さい。これにより、出力レベルの変動を防止して安定な出力を得る。なお、第２バイアス回路を選択した場合も同様である。
【００１８】
また、第１と第２バイアス回路は、アース側の第２分割抵抗５ｂを共通にして、電源側の第１と第２分割抵抗１２（ａｂ）を切り替え、第１と第２共振回路に独立して接続する。したがって、第１と第２共振回路に対して独立してバイアス電圧を設定できる。すなわち、第１と第２水晶振動子１（ａｂ）のＣＩに応じてバイアス電圧を設定できる。これにより、第１又は第２共振回路のいずれを選択しても、同一レベルの出力を得ることができる。
【００１９】
【他の事項】
上記実施例では、単に周波数切替発振器として説明したが、第２図に示したように第１及び第２水晶振動子１（ａｂ）に電圧可変容量素子９及び高周波素子抵抗６を接続して電圧制御型としてもよい。また、第１と第２共振回路を切り替えたが、図示しない第３〜第ｎ共振回路を付加して切り替えてもよい。
【００２０】
【発明の効果】
本発明は、第１と第２共振回路を発振閉ループ外の発振用トランジスタのベース電圧を設定するバイアス回路を切り替えて動作させたので、発振周波数のレベル変動を防止した周波数切替発振器を提供できる。
【図面の簡単な説明】
【図１】本発明の一実施例を説明する周波数切替発振器の回路図である。
【図２】本発明の他の実施例を説明する周波数切替発振器の回路図である。
【図３】従来例を説明する周波数切替発振器の回路図である。
【図４】従来例を説明する周波数切替発振器の回路図である。
【符号の説明】
１  水晶振動子、２  分割コンデンサ、３  発振用トランジスタ、４  負荷抵抗、５、１２  分割抵抗、６  電圧可変容量素子、７  電子スイッチ、８  バイパスコンデンサ、９  高周波阻止抵抗、１０  結合コンデンサ、１１  ダイオード．
【図１】
0003961238.tif 000002
【図２】
0003961238.tif 000003
【図３】
0003961238.tif 000004
【図４】
0003961238.tif 000005